(57)【要約】      （修正有）【課題】顎、口元や鼻下の髭等の体毛を剃り除くことによってデザイン的に髭等を容易に整形することができる体毛剃り剃刀の提供。【解決手段】使用者が手で保持するための湾曲状に形成される柄部２と、該柄部２の先端に設けられ、刃部３ａを具備すると共に該柄部２と略T字状に形成される頭部３とからなる体毛剃り剃刀１であって、前記柄部２の後端２ｂに於ける接線に対する前記頭部３の取り付け角度θが４０度以上６０度未満に設定されると共に、前記柄部２の後端２ｂに於ける接線を水平線とした際の前記体毛剃り剃刀１の側面視に於ける高さＨと長さＬの比が１：２．５〜１：３．５に設定されていることを特徴とする。【選択図】  図１
2004344519.tif 000002
【特許請求の範囲】
【請求項１】
使用者が手で保持するための湾曲状に形成される柄部と、該柄部の先端に設けられ、刃部を具備すると共に該柄部と略Ｔ字状に形成される頭部とからなる体毛剃り剃刀であって、
前記柄部の後端に於ける接線に対する前記頭部の取り付け角度θが４０度以上６０度未満に設定されると共に、前記柄部の後端に於ける接線を水平線とした際の前記体毛剃り剃刀の側面視に於ける高さＨと長さＬの比が１：２．５〜１：３．５に設定されていることを特徴とする体毛剃り剃刀。
【請求項２】
前記柄部の内側の湾曲部は、側面視に於いて湾曲部の中心方向に山形状に延設される延設部が設けられていることを特徴とする請求項１記載の体毛剃り剃刀。
【請求項３】
前記頭部の幅Ｘが２０〜３０ｍｍに設定されていることを特徴とする請求項１又は２記載の体毛剃り剃刀。
【請求項４】
前記柄部の側面は、複数の凹部又は凸部が並設されていることを特徴とする請求項１乃至３いずれかに記載の体毛剃り剃刀。
【請求項５】
前記柄部の上面部に複数の凹部又は凸部が並設されていることを特徴とする請求項１乃至４いずれかに記載の体毛剃り剃刀。
【請求項６】
前記柄部は先端から後端に向けて漸次柄部の幅が広くなるように形成されていることを特徴とする請求項１乃至５いずれかに記載の体毛剃り剃刀。
【発明の詳細な説明】
【０００１】
【発明の属する技術分野】
本発明は、体毛剃り剃刀に関し、より詳しくは、顎、口元や鼻下の髭等の体毛を剃り除くことによってデザイン的に髭等を容易に整形することができる体毛剃り剃刀に関する。
【０００２】
【従来の技術】
従来、剃刀は顎や頬に生える髭等の体毛を綺麗に全て剃り除くことができるように構成されていた。
そのため、今までの剃刀に関する発明では、少ない力で髭を効率良く綺麗に髭の全てを剃り除くことを目的とする発明が創出されたり、剃刀を使用する際に、地肌に剃刀が当接してもけがのないように安全に体毛を剃ることを目的とする発明が創出されたりしている（例えば、特許文献１や特許文献２参照。）。
しかしながら、上記した発明では、刃部を有する頭部が適宜回転する構成を有することによって、効果的に歯先が地肌に当接するように構成されて髭の全てを効率良く剃り除くことを目的としていたり、刃部にガード部材を設ける構成を有して安全に体毛を剃ることを目的としていたりしたため、髭の輪郭をデザインして整形する際に使用するには適しておらず、デザインに必要な髭を剃り除いてしまい使用者が所望する形状を有するように髭を整形することが難しいという問題点を有していた。
上記するような問題点を解決するために、眉に使用者が所望する細かいデザインを整形することを目的とした、刃部を有するガードボード部の幅を眉毛と目の間隔よりも小さくする構成を有することによって、眉毛を効率良く剃ることのできる眉剃り用剃刀が創出されている（例えば、特許文献３参照。）。
しかしながら、この眉剃り用剃刀が有する構成では、眉毛のような比較的細い体毛や体毛が密集していない場所に於いて体毛を剃ることは可能でも、髭や揉み上げと言った比較的太い体毛や体毛が密集している場所の体毛を剃り除き、髭や揉み上げを整形するために使用することには適していなかった。
また、この眉剃り用剃刀は刃を有する頭部が眉毛と目との間隔よりも狭く設けられているため、眉毛と目の間を剃ることに於いては最適であるが、揉み上げ等の他の場所で使用する際には、ガードボード部と柄部の設定される角度が６０〜７０度に設けられているので地肌にこの剃刀の刃部が接した際に、必要以上に高角度で刃部が地肌に接することになるので、地肌に傷がつく危険性が高い問題点を有していたり、眉毛を剃る柄部の後端に於ける接線を水平線とした際の前記体毛剃り剃刀の側面視に於ける高さと長さの比が１：４程度に設けられているため、長さが高さの４倍以上の長さで設けられているので、体毛を剃る際に使用者の力が十分刃部に伝わらないという問題点を有していた。
【０００３】
【特許文献１】
特開平１１−３０００６５号公報
【特許文献２】
特開平１０−２９０８９１号公報
【特許文献３】
特開２００２−１６６０７５号公報
【０００４】
【発明が解決しようとする課題】
本発明は、このような実情に鑑みてなされたもので、顎、口元や鼻下の髭等の体毛にデザインを施すことができると共に、刃部が効率良く体毛を剃ることで容易に剃り除き整形することができ、更には、使用者の力を最も効果的に刃先に伝えることのできる形状を有する体毛剃り剃刀を提供する。
【０００５】
【課題を解決するための手段】
請求項１記載の発明は、使用者が手で保持するための湾曲状に形成される柄部と、該柄部の先端に設けられ、刃部を具備すると共に該柄部と略Ｔ字状に形成される頭部とからなる体毛剃り剃刀であって、前記柄部の後端に於ける接線に対する前記頭部の取り付け角度θが４０度以上６０度未満に設定されると共に、前記柄部の後端に於ける接線を水平線とした際の前記体毛剃り剃刀の側面視に於ける高さＨと長さＬの比が１：２．５〜１：３．５に設定されていることを特徴とする体毛剃り剃刀を提供する。
請求項２記載の発明は、前記柄部の内側の湾曲部は、側面視に於いて湾曲部の中心方向に山形状に延設される延設部が設けられていることを特徴とする請求項１記載の体毛剃り剃刀を提供する。
請求項３記載の発明は、前記頭部の幅Ｘが２０〜３０ｍｍに設定されていることを特徴とする請求項１又は２記載の体毛剃り剃刀を提供する。
請求項４記載の発明は、前記柄部の側面は、複数の凹部又は凸部が並設されていることを特徴とする請求項１乃至３いずれかに記載の体毛剃り剃刀を提供する。
請求項５記載の発明は、前記柄部の上面部に複数の凹部又は凸部が並設されていることを特徴とする請求項１乃至４いずれかに記載の体毛剃り剃刀を提供する。
請求項６記載の発明は、前記柄部は先端から後端に向けて漸次柄部の幅が広くなるように形成されていることを特徴とする請求項１乃至５いずれかに記載の体毛剃り剃刀を提供する。
これらの発明を提供することによって上記課題を悉く解決する。
【０００６】
【発明の実施の形態】
本発明に係る体毛剃り剃刀の実施の形態について図面を参照しつつ説明する。
本発明に係る体毛剃り剃刀の構成について説明する。
図１は本発明に係る体毛剃り剃刀の一実施例の斜視図であり、図２は本発明に係る体毛剃り剃刀の一実施例を示す図であり、（ａ）は側面図であり（ｂ）はＡ−Ａ線端面図であり、図３は本発明に係る体毛剃り剃刀の一実施例の平面図であり、図４は本発明に係る体毛剃り剃刀の一実施例の底面図である。
【０００７】
本発明に係る体毛剃り剃刀（１）は、柄部（２）と頭部（３）から構成される。
柄部（２）は、使用者が手で保持するための部材であり、湾曲状に形成されている。この柄部（２）が有する湾曲状の形状は、側面視に於いて、先端（２ａ）に近づくに従って漸次曲率半径が小さくなると共に、柄部（２）の後端（２ｂ）に於ける接線（ｌ）を水平線とした際の体毛剃り剃刀（１）の高さＨと長さＬの比が１：２．５〜１：３．５に設定されているように湾曲している。
この高さＨと長さＬの比が１：２．５未満になると、剃刀（１）を使用した際に柄部（２）を保持する手が体毛を剃る際の鏡に映り邪魔になり、確実に体毛を剃っているのか鏡で確認することができないからであり、高さＨと長さＬの比が１：３．５を超えると使用者の剃刀を使用する力が頭部（３）の刃部（３ａ）に十分伝わらなくなり、刃部（３ａ）が体毛を押す力が弱くなり体毛を確実に剃ることができなくなるからである。
図２で示す側面視では、先端（２ａ）近傍での曲率半径は約７ｃｍであり、上記した高さＨと長さＬの比が約１：３に設定されるように湾曲しており、高さＨは約３ｃｍで長さＬは約９ｃｍの湾曲状の形状を有している。
この体毛剃り剃刀（１）の柄部（２）が上記するような形状を有することによって、使用者がこの剃刀（１）に入れる力が効率よく後述する頭部（３）の刃部（３ａ）に伝わることになるからである。
【０００８】
図２に於いてこの柄部（２）の側面視に於ける厚みＤは、２〜６ｍｍであり、好ましくは３〜５ｍｍである。この厚みＤが２ｍｍより小さく、又６ｍｍを超えると使用者がこの剃刀（１）を保持し辛くなるからである。
この柄部（２）の内側の湾曲部は、側面視に於いて湾曲部の中心方向に延設される延設部（２ｃ）が設けられていることが好ましい。
この延設部（２ｃ）を有することによって、使用者が指を掛ける場所ができるので、確実にこの剃刀（１）を保持することができると共に使用中にこの剃刀（１）が手から滑ることを防止することができるからである。
この延設部（２ｃ）の形状は、特に限定されないが、湾曲面の中心部方向に向かって柄部（２）から延設される略山形状を有し、内側の湾曲面の中心近傍に於いて、長さが最長になるように設けられることが好ましい。
この延設部（２ｃ）が上記した略山形状を有するように設けられることによって、柄部（２）を使用者が握った際に、人差し指のみが山形状の頭部（３）に近い側の傾斜面にかかるようになり、この剃刀（１）に確実に力を伝えることができるからである。
この柄部（２）の側面には、複数の凹部（２ｄ）が並設されている。
この凹部（２ｄ）は、図２で示す如く、上記した延設部（２ｃ）の側面に設けられることが好ましい。凹部（２ｄ）がこの延設部（２ｃ）の側面に設けられることによって、延設部（２ｃ）の側面が凹凸部を有することになり、この剃刀（１）を握った際に滑ることを防止することができるようになるからである。
この凹部（２ｄ）の形状は、特に限定されないが、上記したように滑り止め防止効果のある形状であればよく、図２では、延設部（２ｃ）の縁に従って直線状の形状を有して設けられている。また、この凹部（２ｄ）は、凸部の形状にすることもできる。
【０００９】
この柄部（２）は、図３及び図４で示される如く、先端（２ａ）から後端（２ｂ）に従って漸次柄部（２）の幅Ｗが広くなるように形成されている。
柄部（２）が先端（２ａ）から後端（２ｂ）に従って漸次柄部（２）の幅Ｗが広くなるよう形成されることによって柄部（２）を握って保持した際に、指でこの剃刀（１）を確実に且つ手で握り易く保持することができるからである。
この柄部（２）の上面部の略中央には、複数の凹部（２ｅ）又は凸部（図示せず）が先端（２ａ）から後端（２ｂ）まで並設されることが好ましい。
この凹部（２ｅ）又は凸部（図示せず）が複数並設されることによって、上記した溝部（２ｄ）と同様に滑り止めの効果を奏することとなる。
この凹部（２ｅ）又は凸部（図示せず）の形状は、特に限定されないが、図３で示す如く、楔形の形状を有していることが好ましい。この凹部（２ｅ）又は凸部（図示せず）が楔形の形状を有することによって、滑り止め効果を最も効果的に奏することになる。
尚、図１で示す本剃刀（１）の柄部（２）の上面には、楔形の凹部が柄部（２）の略中央部分から後端（２ｂ）に沿って並設されている。
【００１０】
柄部（２）は、図２（ｂ）及び図４で示す如く、延設部（２ｃ）の頂上部（２ｆ）から後端（２ｂ）に沿って断面形状が下向きコ字状の形状を有している。
延設部（２ｃ）の頂上部（２ｆ）から後端（２ｂ）に沿って下向きコ字状の形状を有することによって、この剃刀（１）を握る部分が中空状になり軽量化が図られ手首にかかる負担を軽減することができるからである。
【００１１】
頭部（３）は、図３及び図４で示す如く、柄部（２）の先端（２ａ）に取り付けられ、刃部（３ａ）を具備し、柄部（２）と略Ｔ字状に形成されている。
この頭部（３）が有する刃部（３ａ）は、セーフティガード（３ｂ）が具備されており、刃部（３ａ）の横滑りによる地肌の傷を防止するために設けられている。
この頭部（３）の幅Ｘは、特に限定されないが、好ましくは、２０〜３０ｍｍであり、更に好ましくは、２３〜２７ｍｍである。この頭部（３）の幅Ｘを２０〜３０ｍｍに設定することによって、使用者の口の左右の近傍にある髭のラインを一度に整形することができ、四角形の口髭に容易に整形することができる（図５参照）。
【００１２】
上記した柄部（２）の後端（２ｂ）に於ける接線（ｌ）に対する頭部（３）の取り付け角度θは、体毛剃り剃刀（１）の側面視に於いて４０度以上６０度未満に設定されている（図２参照）。
この取り付け角度θは、４０度以上６０度未満に設定されれば特に限定されないが、好ましくは、４５〜５５度であり、更に好ましくは、４８〜５２度である。
柄部（２）と頭部（３）の取り付け角度θが４０度以上６０度未満に設定されることによって、上記した柄部（２）が有する形状に於いて最も効果的に体毛を剃ることが可能になるように、使用者の手からの力を頭部（３）の刃部（３ａ）に伝達することが可能となるからである。
上記した高さＨと長さＬの比を有する湾曲状に形成された柄部（２）と、この柄部（２）と頭部（３）が取り付けられる角度が上記する構成を満たすことによって、使用者の力を最も効率良く刃部（３ａ）を有する頭部（３）に伝達することができ、体毛を剃る際に余分な力をかける必要なく容易に体毛を剃ることができる。
【００１３】
この頭部（３）は、刃部（３ａ）を保護する頭部（３）に着脱自在に取り付け可能な保護チャップ（図示せず）を設けても構わない。
この保護キャップを頭部（３）に着脱自在に具備させることによって、刃部（３ａ）を保護することができると共に刃部（３ａ）に当接して怪我をする危険性を防止することができるからである。
以上が本発明に係る体毛剃り剃刀（１）の構成である。
【００１４】
本発明の体毛剃り剃刀（１）の作用について図面を参照しつつ説明する。
図５は本発明に係る体毛剃り剃刀の使用状態に於ける一実施例を示す図であり、図６は本発明に係る体毛剃り剃刀の使用状態に於ける他の実施例を示す図である。
本発明の剃刀（１）を利用することによって、例えば、図５で示すような四角形の口髭を整形しようとした場合、従来の剃刀では、口の左右の近傍にある髭を綺麗な四角形状に残すことが難しかったが、本剃刀（１）を使用する場合であれば、鏡を見ながら口下や口の左右の近傍等にある剃り除きたい髭の部分にこの剃刀（１）を当接させ、軽く引くことによってきわぞりができ容易に口髭を剃り除くことができる。口髭を剃り除いた際には、口髭部分と剃り除いた部分の境界がはっきり解るので、図５で示すような口髭の形状を整形することができる。
【００１５】
図６で示すようなブーツ状の形状を有する揉み上げを整形するために、この剃刀（１）を使用する場合に於いても、頬に生えた髭等の剃り除きたい部分にこの剃刀（１）を当接させ、軽く引くことによって確実に余分な髭を剃り除くと共に髭と地肌の部分の境界がはっきりさせることによって、使用者の所望するブーツ形状に揉み上げを整形することができる。
この剃刀（１）を使用する際には、本発明の剃刀（１）の構成が上記したような柄部（２）と頭部（３）の形状からなる構成を有しているため、少しの力で余分な体毛を剃り除くことができる。また、頭部（３）近傍に於いて柄部（２）が細身になるよう形成されているため、鏡に映る剃刀（１）の刃部（３ａ）が当接する地肌の映像をはっきりと認識しながら剃ることができるので効率良く且つ所望する形状になるように確認しながら体毛を剃ることができる。
尚、本発明の体毛剃り剃刀（１）は、顎、口元、鼻下の髭を整形するのに好適であるが、揉み上げや眉等のその他の体毛の整形に用いることもできる。
【００１６】
【発明の効果】
請求項１記載の発明によれば、柄部の後端に於ける接線に対する頭部の取り付け角度θが４０度以上６０度未満に設定され、柄部の後端に於ける接線を水平線とした際の前記体毛剃り剃刀の側面視に於ける高さＨと長さＬの比が１：２．５〜１：３．５に設けられることによって、顎、口元や鼻下の髭等の体毛に細かいデザインを施すことができると共に、体毛に対して効果的な角度で刃部が当接するので刃部が効率良く体毛を剃ることができ容易に剃り除き整形することができる。更には、使用者の力を最も効果的に刃部（特に刃部の先端）に伝えることのできる構成を有する体毛剃り剃刀を提供することができる。
【００１７】
請求項２記載の発明によれば、この延設部が略山形状を有するように設けられることによって、柄部を使用者が握った際に、人差し指のみが山の頭部に近い側の傾斜面にかかるようになり、刃部を有する頭部に使用者の力を確実に伝えることができる体毛剃り剃刀を提供することができる。
【００１８】
請求項３記載の発明によれば、この頭部の幅Ｘを２０〜３０ｍｍに設定されることによって、使用者の口の左右の近傍にある髭のラインを一度に且つ確実に整形することができ、四角形の口髭に誰でも容易に整形することができる体毛剃り剃刀を提供することができる。
【００１９】
請求項４及び５記載の発明によれば、柄部の側面及び上面部にそれぞれ凹部又は凸部を設けることによって、この剃刀の柄部を手で握った際に、剃刀が手から滑ることなく、確実に握ることができる剃刀を提供することができる。
【００２０】
請求項６記載の発明によれば、手でこの剃刀を握った際に、確実に且つ優しく剃刀を握ることができ、又体毛を剃る際に、柄部の先端が細身の形状となり、鏡に映る剃刀の面積が小さくなり、鏡に写る剃刀の像によって邪魔されることが極めて少なくなる剃刀を提供することができる。
【図面の簡単な説明】
【図１】本発明に係る体毛剃り剃刀の一実施例の斜視図である。
【図２】本発明に係る体毛剃り剃刀の一実施例を示す図であり、（ａ）は側面図であり、（ｂ）はＡ−Ａ線端面図である。
【図３】本発明に係る体毛剃り剃刀の一実施例の平面図である。
【図４】本発明に係る体毛剃り剃刀の一実施例の底面図である。
【図５】本発明に係る体毛剃り剃刀の使用状態の一実施例を示す図である。
【図６】本発明に係る体毛剃り剃刀の使用状態に於ける他の実施例を示す図である。
【符号の説明】
１・・・・・体毛剃り剃刀
２・・・・・柄部
２ａ・・・・先端
２ｂ・・・・後端
２ｃ・・・・延設部
２ｄ・・・・溝部
２ｅ・・・・凹部
３・・・・・頭部
３ａ・・・・刃部
Ｄ・・・・・柄部の側面視に於ける厚み
Ｈ・・・・・本剃刀の側面視に於ける高さ
Ｌ・・・・・本剃刀の側面視に於ける長さ
Ｘ・・・・・本剃刀の頭部の幅
Ｗ・・・・・本剃刀の平面視又は底面視に於ける幅
ｌ・・・・・接線
θ・・・・・柄部及び頭部の取り付け角度
【図１】
2004344519.tif 000003
【図２】
2004344519.tif 000004
【図３】
2004344519.tif 000005
【図４】
2004344519.tif 000006
【図５】
2004344519.tif 000007
【図６】
2004344519.tif 000008